(57)【要約】【課題】省スペースで、かつ広範囲を洗浄または乾燥できるノズル装置を提供する。【解決手段】少なくとも１個以上の噴出口２７と、噴出口に個別に連通する流路２４を備えた第１ノズル２１と、第１ノズル２１を進退可能に支持し、第１ノズル２１の少なくとも一部を収容可能な第２ノズル２２と、第２ノズル２２を進退可能に支持し、第２ノズル２２を収容可能なノズルマウント１６と、第１ノズル２１を進退駆動させる駆動手段３０と、第１ノズル２１を回動駆動させる回動手段２３とを備えることにより、使用時は、第１ノズル２１と第２ノズル２２は継合伸長し、非使用時は第１ノズルの一部を収納した第２ノズル２２がノズルマウント１６に収容されるため、使用時はノズルを長く突出し、非使用時は長さを短くできるので、広範囲の洗浄または乾燥が可能で、かつ小型で省スペースのノズル装置を提供することができる。【選択図】図３
2010127024.tif 000002
【特許請求の範囲】
【請求項１】
少なくとも１個以上の噴出口と、前記噴出口に個別に連通する流路を備えた第１ノズルと、前記第１ノズルを進退可能に支持し、前記第１ノズルの少なくとも一部を収容可能な第２ノズルと、前記第２ノズルを進退可能に支持し、前記第２ノズルを収容可能なノズルマウントと、前記第１ノズルを進退駆動させる駆動手段と、前記第１ノズルを回動駆動させる回動手段とを含むノズル装置。
【請求項２】
前記駆動手段と前記回動手段とは互いに独立して駆動することを特徴とする請求項１に記載のノズル装置。
【請求項３】
前記第１ノズルと前記第２ノズルとを連結し、一体となって進退駆動させる進退連結手段を備えたことを特徴とする請求項１〜２いずれか１項に記載のノズル装置。
【請求項４】
前記進退連結手段は前記第１ノズルが前記第２ノズルに対して最も縮退した状態で連結し、前記第２ノズルが前記ノズルマウントに対して最も伸長した状態で、前記第２ノズルは進出を規制され、前記第１ノズルのみが進出を継続することにより、前記進退連結手段の連結が解除されることを特徴とする請求項３に記載のノズル装置。
【請求項５】
前記進退連結手段は前記第１ノズルが前記第２ノズルに対して最も伸長した状態で連結し、前記第２ノズルが前記ノズルマウントに対して最も縮退した状態で、前記第２ノズルは後退を規制され、前記第１ノズルのみが後退を継続することにより、前記進退連結手段の連結が解除されることを特徴とする請求項３または４に記載のノズル装置。
【請求項６】
前記回動手段は前記第１のノズルを回動する請求項１〜５のいずれか１項に記載のノズル装置。
【請求項７】
前記噴出口は、お尻洗浄用、ビデ洗浄用、乾燥用のいずれか１個以上を備えた請求項１〜６のいずれか１項に記載のノズル装置。
【請求項８】
前記噴出口の１個は洗浄用と乾燥用に兼用することを特徴とする請求項１〜７のいずれか１項に記載のノズル装置。
【請求項９】
請求項１〜６のいずれか１項記載のノズル装置と、着座面を備えた便座と、前記ノズル装置に洗浄水を供給する洗浄水供給手段と、前記流路に洗浄水の流入を選択的に切り替える流路切替手段とを備えた衛生洗浄装置。
【請求項１０】
請求項７または８のノズル装置と、着座面を備えた便座と、前記ノズルに洗浄水を供給する洗浄水供給手段と、前記ノズルに空気を供給する空気供給手段と、前記流路に流入する空気および洗浄水を選択的に切り替える流路切替手段とを備えた衛生洗浄装置。
【発明の詳細な説明】
【技術分野】
【０００１】
本発明は人体の局部の広範囲を選択的に洗浄または乾燥可能なノズル装置に関するものである。
【背景技術】
【０００２】
従来、この種のノズル装置としては、進退可能な一本の棒状のノズルを進出位置において、ノズルの進退方向と直交する方向に揺動させる揺動手段を設けて構成されたものがある（例えば、特許文献１参照）。
【０００３】
図１７は特許文献１に記載された従来のノズル装置を示すものである。図１７に示すように、ノズル装置５０は先端に噴出口５１を備えた棒状のノズル５２と、ノズル５２を進退駆動する進退駆動手段５３と、ノズル５２揺動させる揺動手段５４から構成されており、非使用時はノズル５２後退させておき、使用時はノズル５２を進退駆動手段５３により人体局部に近い使用位置まで進出させ、使用位置において遥動手段５４を駆動することにより、噴出口５１の噴出方向を変化させることで人体局部の広い範囲に向けて噴出することが可能なノズル装置である。
【特許文献１】特開平６−１４６３７７号公報
【発明の開示】
【発明が解決しようとする課題】
【０００４】
しかしながら、特許文献１に記載の構成では、主に人体局部の背面側に対してはノズルを進退方向に駆動させることで噴射することができるが、特に人体局部の前方に向けて効果的に噴射することが困難である。すなわち、特許文献１に記載の構成では、ノズルは１本の棒状であるため、進出距離が限られており、局部全体特に前面側に向けて噴射するためには、噴射角度を水平面に近い角度にする必要があり、その場合、局部に対して噴射角度が浅くなるため、局部を舐めるようにしか噴射されず、十分な効果が期待できない。
一方、局部から前面側まで効果的に噴射できるようにノズルを長手方向に長く構成しようとしても、便器の上には使用者が座る便座の他に使用後に便を洗い流す水を溜めておくロータンクやフラッシュバルブがあったり、そもそもトイレ空間自体が狭かったりして、便器後方にはスペース的に余裕がなく、一般的に奥行き１８０〜２００ｍｍの空間内に収納する必要があり、単純にノズルを長くするのは困難である。
【０００５】
本発明は、前記従来の課題を解決するもので、省スペースで広範囲を洗浄または乾燥できるノズル装置を提供することを目的とする。
【課題を解決するための手段】
【０００６】
前記従来の課題を解決するために、本発明のノズル装置は、少なくとも１個以上の噴出口と、噴出口に個別に連通する流路を備えた第１ノズルと、第１ノズルを進退可能に支持し、第１ノズルの少なくとも一部を収容可能な第２ノズルと、第２ノズルを進退可能に支持し、第２ノズルを収容可能なノズルマウントと、第１ノズルを進退駆動させる駆動手段と、第１ノズルを回動駆動させる回動手段とを含むノズル装置としたものである。
これによって、ノズル装置の使用時は、第１ノズルと第２ノズルは継合伸長した状態でノズルマウントより突出し、非使用時の収納状態では第１ノズルの一部を収納した第２ノズルがノズルマウントに収容されるという構成のため、１本のノズルを進退駆動させるよりも、非使用時は伸縮方向の長さを短くできるのでノズル装置全体およびそれを使用する衛生洗浄装置全体を小型にすることが可能となり省スペースの効果を得ることができる。
また、使用時はノズルを長く突出ができるため、人体局部の前方まで突出することができ
、局部に対して垂直に近い角度で洗浄水や乾燥温風を吹き付けることができ、洗浄および乾燥の効果を向上することができる。
【０００７】
しかも駆動手段と回動手段により、噴出位置および噴出方向を前後左右に変化させることが可能であるため、それぞれの洗浄または乾燥に最適な位置および範囲を選択することができ、洗浄および乾燥の効率を向上することができる。
【発明の効果】
【０００８】
以上のように本発明によれば、省スペースで局部を効果的に洗浄または乾燥できるノズル装置を提供できる。
【発明を実施するための最良の形態】
【０００９】
第１の発明は、少なくとも１個以上の噴出口と、前記噴出口に個別に連通する流路を備えた第１ノズルと、前記第１ノズルを進退可能に支持し、前記第１ノズルの少なくとも一部を収容可能な第２ノズルと、前記第２ノズルを進退可能に支持し、前記第２ノズルを収容可能なノズルマウントと、前記第１ノズルを進退駆動させる駆動手段と、前記第１ノズルを回動駆動させる回動手段とを含むことにより、ノズル装置の使用時は、第１ノズルと第２ノズルは連接伸長した状態でノズルマウントより突出し、非使用時の収納状態では第１ノズルの一部を収納した第２ノズルがノズルマウントに収容されるという構成のため、１本のノズルを進退駆動させるよりも、非使用時は伸縮方向の長さを短くできるのでノズル装置全体およびそれを使用する衛生洗浄装置全体を小型にすることが可能となり省スペースの効果を得ることができる。
【００１０】
また、使用時はノズルを長く突出ができるため、人体局部の前方まで突出することができ、局部に対して垂直に近い角度で洗浄水や乾燥温風を吹き付けることができ、洗浄および乾燥の効果を向上することができる。
【００１１】
しかも駆動手段と回動手段により、噴出位置および噴出方向を前後左右に変化させることが可能であるため、それぞれの洗浄または乾燥に最適な位置および範囲を選択することができ、洗浄および乾燥の効率を向上することができる。
【００１２】
第２の発明は、特に第１の発明において、駆動手段と回動手段とは互いに独立して駆動することにより、進退駆動をしながら、それとは独立して回動駆動をさせることができ、より自由度の高い洗浄もしくは乾燥が実現できる。
【００１３】
第３の発明は、特に第１または第２の発明において、第１ノズルと第２ノズルとを連結し、一体となって進退駆動させる進退連結手段を備えたことで、第１ノズルと第２ノズルをひとつの駆動手段で駆動することができ、小型軽量を図ることができ、より省スペースの効果を図ることができる。
【００１４】
第４の発明は、特に、第３の発明において、進退連結手段は前記第１ノズルが前記第２ノズルに対して最も縮退した状態で連結し、前記第２ノズルが前記ノズルマウントに対して最も伸長した状態で、前記第２ノズルは進出を規制され、前記第１ノズルのみが進出を継続することにより、前記連結手段の連結が解除されることで、ノズルの伸長動作の途中から第１ノズルは第２ノズルと連結が解除され第１ノズルのみを摺動させるので、広範囲洗浄もしくは乾燥時に駆動手段に対しての負荷が減り、より長寿命のノズル装置が実現できる。
【００１５】
第５の発明は、特に、第３または第４の発明において、前記進退連結手段は前記第１ノズルが前記第２ノズルに対して最も伸長した状態で連結し、前記第２ノズルが前記ノズル
マウントに対して最も縮退した状態で、前記第２ノズルは後退を規制され、前記第１ノズルのみが後退を継続することにより、前記進退連結手段の連結が解除されることで、第１ノズルと第２ノズルとの相対位置が変わるのは第２ノズルがノズルマウント内に収納されるときに限られるため、第１ノズルと第２ノズルとの継合部からティッシュ屑等のゴミをまき込みながら第１ノズルが第２ノズル内に収納されるのを予防することができる。また、前後摺動を繰り返す洗浄もしくは乾燥モードの際は第１ノズルと第２ノズルとが一体で動くので、両者の継合部での摺動音がせず、より快適なノズル装置が実現できる。
【００１６】
第６の発明は、特に第１〜５のいずれか１つの発明において、前記回動手段は前記第１のノズルを回動することにより、噴出口の噴出方向を変更するために回動動作が必要な第１ノズルを直接回動することにで、回動動作を確実に実施できるとともに、回動手段に対しての負荷が減り、より長寿命のノズル装置が実現できる。
【００１７】
第７の発明は、特に、第１〜６のいずれか１つの発明において、前記噴出口は、お尻洗浄用、ビデ洗浄用、乾燥用のいずれか１個以上を備えたことにより、使用目的に合わせてノズルの機能を選択することが可能となり、広い範囲の衛生洗浄装置への対応が可能となる。
【００１８】
第８の発明は、特に第１〜７のいずれか１つの発明において、前記噴出口の１個は洗浄用と乾燥用に兼用することにより、ノズル装置の構成をシンプルかつ小型にすることができる。
【００１９】
第９の発明は、第１〜６のいずれか１つのノズル装置と、着座面を備えた便座と、前記ノズル装置に洗浄水を供給する洗浄水供給手段と、前記流路に洗浄水の流入を選択的に切り替える流路切替手段とを備えたことにより、高機能な洗浄機能を備えた衛生洗浄装置の省スペース化を図ることができる。
【００２０】
第１０の発明は、特に第７または８のノズル装置と、着座面を備えた便座と、前記ノズルに洗浄水を供給する洗浄水供給手段と、前記ノズルに空気を供給する空気供給手段と、前記流路に流入する空気および洗浄水を選択的に切り替える流路切替手段とを備えたことにより、高機能な洗浄機能と乾燥機能を備えた衛生洗浄装置の省スペース化を図ることができる。
【００２１】
以下本発明の実施の形態について、図面を参照にしながら説明する。なお、本実施の形態によって発明が限定されるものではない。
【００２２】
（実施の形態１）
図１は本発明の第１の実施の形態におけるノズル装置を使用した衛生洗浄装置を便器に設置した状態の斜視図を示すものであり、図２はノズルが収納位置にある収納状態のノズル装置全体の外観を示す斜視図を、図３は第２ノズルが最も突出位置にあるノズル装置全体の外観の斜視図を、図４ノズルが最も伸長した状態にあるノズル装置全体の外観を示す斜視図である。
【００２３】
図１に示すように便器（図示せず）の上面に設置した衛生洗浄装置の後部に配設した本体１０には便座１１と便蓋１２が回動自在に枢支してあり、本体１２の前部には本発明のノズル装置１３が設置してあり、本体１０の内部にはノズル装置１３に洗浄水を供給する洗浄水供給手段（図示せず）やノズル装置１３と洗浄水供給手段を制御する制御手段（図示せず）等が配設してある。また、トイレルーム内には、使用者の入室を検知する人体検知リモコン１４や衛生洗浄装置を操作する操作リモコン１５が設置されてある。
【００２４】
図２に示すように、樹脂材料で成型したノズルマウント１６は左右に分離可能な右ケース１７と左ケース１８を組み合わせた構成であり、ノズルマウント１６の中央部には略円筒形のノズルガイド１９が形成してある。ノズルガイド１９内には略円筒形のノズルブロック２０が摺動自在に設置してあり、図２に示す収納状態と図３に示す突出状態との間を進退可能となっている。
【００２５】
ノズルブロック２０は、略円筒形の第１ノズル２１と、第１ノズル２１の一部を収容可能な略円筒形の第２ノズル２２と、第２ノズル２２の後端に構成された回動手段２３とで構成されている。第１ノズル２１は第２ノズル２２に対して、第２ノズル２２はノズルガイド１９に対して僅かに小さい外径であり、第１ノズル２１と第２ノズル２２、第２ノズル２２とノズルガイド１９、の互いがスムーズに摺動可能な寸法となっている。
【００２６】
図５はノズルブロック２０の上面図、図６は図５のＡ−Ａ断面図、図７は図５のＢ−Ｂ断面を、図８は図５のＣ−Ｃ断面を示すものである。
【００２７】
図７に示すように、第１ノズル２１の内部にはお尻直墳洗浄流路２４とお尻旋回洗浄流路２５とビデ洗浄流路２６の３本の流路が形成してある。それぞれの流路内径は３．０〜３．４ｍｍ程度である。お尻直墳洗浄流路２４は先端部において略同内径のまま第１ノズル２１上面方向へ流路を屈曲させ、お尻洗浄噴出口２７に連通している。お尻旋回洗浄流路２５は先端部において第１ノズル２１上面方向へ屈曲したお尻直墳洗浄流路２４の軸心に対して偏心させ、接線方向から洗浄水に軸心周りの旋回成分を付与するように連通させている。ビデ洗浄流路２６はビデ洗浄噴出口２８の下方に配置された水室にビデへの吐出方向の軸心に対して偏心させ連通し、洗浄水に軸心周りの旋回成分を付与する構成となっている。
【００２８】
お尻直墳洗浄流路２４と、お尻旋回洗浄流路２５と、ビデ洗浄流路２６の後端の部分には、いずれも洗浄水を供給する洗浄水供給口２９（お尻旋回洗浄流路２５とビデ洗浄流路２６のための洗浄水供給口は図示せず）が設置してあり、洗浄水供給手段から流路切替弁（図示せず）を経由しシリコンホース（図示せず）を介して連通してある。また、お尻直墳洗浄流路２４に関しては、流路切替弁と洗浄水供給口２９との間に三方弁（図示せず）を設け、お尻乾燥用の空気を供給するための空気ポンプ（図示せず）を間に併設してある。つまりお尻直墳洗浄流路２４はお尻乾燥空気流路２４も兼ね、お尻洗浄噴出口２７は乾燥用空気噴出口２７も兼ねる。
【００２９】
また、ノズルガイド１９の先端開口１９ａの上部に枢支し上下に回動自在なノズルシャタ（図示せず）が設けてあり、ノズルブロック２０をノズルガイド１９に収納した状態で先端開口１９ａを閉塞することができる。ノズルシャタはノズルブロック２０が洗浄位置に進出するときは、ノズルブロック２０の先端で押進することにより上方に回動し、ノズルブロック２０が収納位置に収納したときはノズルシャタの自重で下方に回動し閉塞する構成である。
【００３０】
図９〜１１はノズル装置の駆動の状態を示す図であり、図９（ａ）は収納状態の上面図を示し、図９（ｂ）は（ａ）のＤＤ断面図を示し、図１０（ａ）は第２ノズルの最大突出状態の上面図を示し、図１０（ｂ）は（ａ）のＥＥ縦断面図を示し、図１１（ａ）は最大突出した状態の上面図を示し、図１１（ｂ）は（ａ）のＦＦ縦断面図を示す。    
【００３１】
ノズルマウント１６の側面部には前後駆動アクチュエータ３０が構成してある。前後駆動アクチュエータ３０は駆動モータ３５とウォームギア（図示せず）と変速ギアＡ３１と変速ギアＢ３２を備え、変速ギアＢ３２とフレキラック３３が嵌合する。フレキラック３３の一端は、第１ノズル２１後端と回動リンク３４を介して連結してある。駆動モータ３
５の回転はウォームギアと変速ギアＡ３１、Ｂ３２を介して減速されてフレキラック３３に伝達され、回動リンク３４は第１ノズル２１に対して回転方向は自由だが、進退方向は拘束されているため、フレキラック３３の前後駆動に応じて第１ノズル２１は前後駆動する構成となっている。駆動モータ３５は制御手段（図示せず）に接続してあり、制御手段により運転が制御される。また、駆動モータ３５の後部には駆動モータ３５の回転数を検知する回転検知センサが設置してある。
【００３２】
ノズルブロック２０後端の回動手段２３は、第２ノズル２２後端に設置された回動ギア３６と回動アクチュエータ３７とシャフト３８で構成されている。回動アクチュエータ３７は回動モータ３９と変速ギアＣ４０と変速ギアＤ４１を備え、変速ギアＤ４１はウォムギア（図示せず）を介して回動ギア３６と噛合する。回動ギア３６の中心には四角形断面のシャフト３８が圧入されている。第１ノズル２１が縮退時、シャフト３８は第１ノズル２１内部の略同形断面の孔の中に収納され、第１ノズル２１の進退駆動のガイドは第２ノズル２２だけでなくシャフト３８によっても行う。回動モータ３９の回転は変速ギアＣ４０と変速ギアＤ４１とウォムギア（図示せず）を介して回動ギア３６に伝達され回転運動をし、その回転運動がシャフト３８を経由して第１ノズル２１を回動駆動させる構成となっている。回動モータ３９は制御手段（図示せず）に接続してあり、制御手段により運転が制御される。また、回動モータ３９の後部には駆動モータ３５の回転数を検知する回転検知センサが設置してある。回動リンク３４が回転方向に対しては非拘束のため、回動駆動と進退駆動は互いに独立であり、前後駆動しながら、回動駆動することもできる。
【００３３】
また第１ノズル２１および第２ノズル２２には、第１ノズル２１が第２ノズル２２に対して相対的に最も縮退した状態で連結する進退連結手段４２が設置されている。本実施の形態においては、第１ノズル２１、第２ノズル２２双方の連結部に磁石を配設し、磁力によって第１ノズル２１と第２ノズル２２とを連結させる。他には、弾性を有するツメによる嵌合や連結部における第１ノズル２１と第２ノズル２２とのクリアランスを調整し摩擦力を大きくすることで連結する構成でもよい。    
【００３４】
また、ノズルガイド１９先端部の上部横向き接線方向へノズル洗浄噴出口（図示せず）を開口させ、ノズルブロック２０が収納時にノズル洗浄噴出口より洗浄水を排出することで、第１ノズル２１の先端部の洗浄を行うことができる。ノズルガイド１９の内径は第１ノズル２１の先端部の外面と略全周に亘り僅かな隙間を形成する寸法となっており、前記隙間にノズル洗浄用の洗浄水が流通可能な構成となっており、また、ノズルガイド１９先端部の下部には洗浄水を排出する排水口１９ｂが設置してある。    
【００３５】
また、ビデ洗浄流路２６は、全体の内径が３．０〜３．４ｍｍ程度で形成し、流路の途中に流路径をφ１．０〜１．５ｍｍ程度まで絞り、その下流側の近傍にはφ１．０ｍｍ程度の空気混入孔を開けたイジェクタを経由して噴出させてより柔らかな洗浄とすることもできる。イジェクタを経由した直後の洗浄水は流速が高いため、イジェクタ近傍が負圧となり、空気混入孔から微細な空気を巻き込んだ洗浄水となり、より柔らかな洗浄感を提供できる。なお、この孔がない場合、空気は混入されないが、流路断面積を一部狭めることにより、洗浄水供給手段の脈動感を低減させることができ、デリケートなビデに過度の負荷をかけることのない快適な洗浄が実現できる。  
【００３６】
以上のように構成されたノズル装置について、以下その動作、作用を説明する。まず、図９にて示すノズル未使用時である収納状態においては、第１ノズル２１は第２ノズル２２の中に収納され、第２ノズル２２はノズルマウント１６のノズルガイド１９内に収納されている。このとき、第１ノズル２１と第２ノズル２２とは進退連結手段４２により連結されている。
【００３７】
収納状態から洗浄を開始する際には、まず、使用者が操作リモコン１５を操作することにより、制御手段が制御を開始し、駆動モータ３５の回転が変速ギアＡ３１、変速ギアＢ３２を介して減速されてフレキラック３３に伝達され、変速ギアＢ３２と噛み合ったフレキラック３３は回動リンク３４と一体で伸縮する。回動リンク３４は第１ノズル２１に対して進退方向は拘束されているため、フレキラック３３の前後駆動に応じて第１ノズル２１と第２ノズル２２は一体で前後駆動する。まずは第１ノズル２１と一体で駆動する第２ノズル２２の後端がノズルガイド１９の後端に設けられた後ストッパと当接し、これ以上後方に移動できないところまで後退させる。この位置を原点として、これ以降の第１ノズル２１の位置は駆動モータ３５の回転数を回転数検知センサで検知することで、移動量を推定しながら位置制御することが可能となる。
【００３８】
なお、洗浄時に毎回原点位置を確認せずに、本体に電源投入時に一度原点位置を確認し、その位置を制御手段のマイコンに記憶させる方法をとってもよい。また、一日のうち、あらかじめ設定してある時間に自動的に原点位置確認をさせ、その位置を制御手段のマイコンに記憶させる方法をとってもよい。どちらの手段にしても、毎回原点位置を確認する手間が省け、使用者が操作リモコンを操作してから実際に洗浄ノズルが突出するまでの時間が短縮される。
【００３９】
次に駆動モータ３５を逆回転させて第１ノズル２１を前方に移動させる。このとき第２ノズル２２は進退連結手段４２の連結が保たれているため第１ノズル２１に牽引され一体化した状態で前方に移動する。第２ノズル２２が摺動可能範囲内における最先端においてノズルマウント１６の前端に設けられた前ストッパと当接し、さらに第１ノズル２１を前方に移動させることで、進退連結手段４２の連結が解除される。解除に要する荷重値よりもノズルを前後方向に移動させる駆動モータ３５の駆動トルクが大きいことが条件となる。        
【００４０】
使用者の選択したモードに応じた、あらかじめ設定しておいた制御シーケンスに従い、原点状態からの駆動モータ３５の回転数が設定値に達すると停止する。図１２（ａ）はお尻洗浄標準位置を示し、図１２（ｂ）はビデ洗浄標準位置示し、図１２（ｃ）はお尻乾燥標準位置のノズル突出状態を示す。
【００４１】
使用者がお尻洗浄を選択していた場合は、第１ノズル２１がお尻洗浄標準位置に到達した状態で制御手段は洗浄水供給手段を制御し、お尻直墳洗浄流路２４もしくはお尻旋回洗浄流路２５に通水を開始することでお尻洗浄が開始され、お尻洗浄噴出口２７から噴射される。流量の調節は洗浄水供給手段によってなされ、通水流路の切替は流路切替弁によって行われる。
【００４２】
お尻直墳洗浄流路２４とお尻旋回洗浄流路２５へ流れる流量比は流路切替弁の開度で調節することができ、お尻直墳洗浄流路２４にのみ洗浄水を供給すると、お尻洗浄噴出口２７の径と略同等の集中した洗浄水流となって噴出し、ピンポイントで強い洗浄水で洗浄し、お尻旋回洗浄流路２５にのみ洗浄水を供給すると、洗浄水に軸心周りの旋回成分が付与されるため、お尻洗浄噴出口２７から拡散した洗浄水流となって噴出し、広範囲を柔らかな洗浄水で洗浄し、お尻直墳洗浄流路２４とお尻旋回洗浄流路２５ともに所定の流量比で洗浄水を供給すると、お尻洗浄水流形状を上記集中状態から拡散状態にまで流量比に応じたかたちで制御することができる。    
【００４３】
また、使用者がビデ洗浄を選択していた場合は、第１ノズル２１がビデ洗浄標準位置に到達した状態で制御手段は洗浄水供給手段を制御し、ビデ洗浄流路２６に通水することでビデ洗浄が開始され、ビデ洗浄噴出口２８から噴射される。流量の調節は洗浄水供給手段によってなされ、通水流路の切替は流路切替弁によって行われる。
【００４４】
さらに、使用者が乾燥を選択していた場合は、第１ノズルがお尻乾燥標準位置に到達した状態で制御手段は空気流路切替弁を切替え、空気供給手段とお尻直噴洗浄流路を連通するように制御し、圧搾空気を供給することで、お尻洗浄噴出口２７より乾燥用空気が噴射される。
【００４５】
洗浄・乾燥を行っている状態で駆動モータ３５を正転、逆転を交互に繰り返すように駆動させると、第１ノズル２１は標準位置に対して前後に揺動した状態となり、洗浄水や乾燥風を人体の局所のより広い範囲に噴射できる。
【００４６】
さらに回動モータ３９を正転、逆転を交互に繰り返すように駆動させ、お尻洗浄噴出口２７およびビデ洗浄噴出口２８が鉛直上方向位置にある状態を基準とし、第１ノズル２１を左右円周方向に回動させる。噴出した洗浄水は振動し、広い範囲を洗浄できるとともに、噴流がばらけるため、ボリュームを感じる洗浄となる。
【００４７】
また、乾燥の場合は、噴出口の孔方向を中央から徐々に外側に駆動させながら圧搾空気を噴出することで、肛門近傍に付着した水滴を外側へ飛散させたり、逆に噴出口の孔方向を外側から徐々に中央へ駆動させながら圧搾空気を噴出することで、臀部近傍に付着した水滴を肛門近傍に集めることもできる。また、左右円周方向に往復回動駆動させながら、噴出させることで横に広く圧搾空気を噴出させることもでき、集めた水滴をまとめて吹き飛ばすこともできる。
【００４８】
前後駆動と左右駆動は互いに独立しており、これらの駆動速度や駆動範囲を制御することで、洗浄範囲やボリューム感を調節することができる。    
【００４９】
本実施の形態のノズル装置は第１ノズル２１と第２ノズル２２とを継合連結させ伸長させるため、遠くの方にまで洗浄水および乾燥風を噴出することができ、特に乾燥においては、今まで困難であった肛門より前方側へ付着した水滴に対しても十分に乾燥風が届く構成となり、より効果的な局部乾燥を実現することができる。またビデ洗浄についても水平面に対してより大きな洗浄角度で洗浄できるので、洗浄水が目的箇所に当たらない股抜けにより衣服を濡らすこともない。
【００５０】
洗浄および乾燥の運転停止の操作をすると、駆動モータ３５は逆回転し、第１ノズル２１は後方へ移動を開始する。第１ノズル２１が第２ノズル２２に対して相対的に最も縮退してからは、第１ノズル２１と第２ノズル２２は共にノズルガイド１９内を後退していき、第２ノズル２２後端がノズルガイド１９後部に設けた後ストッパに当接し、収納状態となる。なお第２ノズル２２が後ストッパに当接することで、ノズル後退終了とみなして駆動モータ３５の回転を停止させてもよいし、あらかじめ設定された制御シーケンスに基づき、駆動モータ３５の回転数による位置制御によって停止させてもよい。前者の場合、常にノズル駆動動作終了後、確実に原点位置に戻るので、以降の駆動の際もノズル突出位置ズレが最小限で抑えられる。後者の場合、後ろストッパに当接させないので、駆動モータ３５にかかる負荷を最小限にすることができ、モータの寿命が延びる。    
【００５１】
上記お尻洗浄が終了し、第２ノズル２２後端が後ストッパに当接し停止した時点で、制御手段はノズル洗浄の制御を開始する。制御手段は洗浄水供給手段を制御し、洗浄水供給口へ通水を開始することでノズル洗浄が開始される。流量の調節は洗浄水供給手段によってなされ、通水流路の切替は流路切替弁によって行われる。ノズル洗浄噴出口から噴出した洗浄水は、ノズルガイド１９の上部横向き接線方向へノズル洗浄噴出口が開口しているため、噴出した洗浄水はノズルガイド１９の内壁に沿って、第１ノズル２１との隙間を円周方向に旋回循環する旋回流となり、第１ノズル２１の外周壁およびお尻洗浄噴出口２７
およびビデ洗浄噴出口２８の汚れを効果的に除去することができる。なお、ノズル洗浄水噴出口はお尻洗浄噴出口２７およびビデ洗浄噴出口２８と略対向する位置に複数個開けるような構成としてもよい。こうすることで、洗浄水が吐出するお尻洗浄噴出口２７およびビデ洗浄噴出口２８近傍を集中的に洗浄することができ、より清潔な局部洗浄を実現できる。また、ノズル洗浄水噴出口の孔径を小さくすることでより高水圧の水流が噴出することとなり、洗浄力が向上する。また、孔数を増やすことで、効果的に広範囲を洗浄することもできる。    
【００５２】
以上のように、本実施の形態においては、お尻洗浄噴出口２７およびビデ洗浄噴出口２８と、それぞれの噴出口に個別に連通する流路を備えた第１ノズル２１と、第１ノズル２１を進退可能に支持し、第１ノズル２１の一部を収容可能な第２ノズル２２と、第２ノズル２２を進退可能に支持し、第２ノズル２２を収容可能なノズルマウント１６と、第１ノズル２１を進退駆動させる駆動手段と、第１ノズル２１を回動駆動させる回動手段２３とを備えた構成とすることにより、第１ノズル２１と第２ノズル２２は継合した状態で突出し、伸縮時は第１ノズル２１の一部を収納した第２ノズル２２がノズルマウント１６に収容されるという構成のため、１本のノズルを進退駆動させるよりも、伸縮方向に対して省スペースなノズルユニットでありながら、より長く突出ができるため、人体局部より正面側へも、ある程度の角度を持たせた洗浄水および乾燥温風を吹き付けることができ、洗浄効果および乾燥効果の向上が図ることができる。また、上記収納構成のため、長手方向に省スペースなノズル装置となり、便器後方に構成することができる。
【００５３】
なお、本実施の形態においては前後駆動アクチュエータ３０としては駆動モータ３５とウォームギアと変速ギアＡ３１と変速ギアＢ３２を備え、変速ギアＢ３２と嵌合したフレキラック３３が第１ノズル２１を前後駆動させる伝達機構を、回動アクチュエータ３７としては回動モータ３９と変速ギアＣ４０と変速ギアＤ４１を備え、変速ギアＤ４１と嵌合した回動ギア３６の回転がシャフト３８を介して第１ノズル２１を回動駆動させる伝達機構を採用したが、これに限るものではなく、ベルトやチェーン、ゼンマイバネ等の伝達機構を使用してもより。また、動力源としてはＤＣモータやステッピングモータ、サーボモータなどが考えられる。
【００５４】
また、本実施の形態においての回動駆動用シャフト３８の断面は四角形断面を用いたが、他の断面形状、例えば三角形、六角形、一部Ｄカットした円形断面などでもよい。
【００５５】
また、本実施の形態においての第１ノズル２１と第２ノズル２２との間に構成される進退連結手段４２としては、双方に磁石を配設し磁力で連結させたが、どちらか一方に設けた弾性を有するツメ形状と他方に設けた嵌合部でもよいし、進退連結箇所において第１ノズル２１と第２ノズル２２とのクリアランスを小さくしたり材料を変えたりすることで摩擦を大きくし摩擦力で連結させる方法でもよい。ツメ形状で連結する場合はノズルとツメを簡単に一体で成型することが可能となり、安価に作ることができる。２部品間の摩擦力で連結させる場合はツメの嵌合する凹部を作る必要がなくなり、より単純な形状となり成型しやすいし部品の強度も向上する。磁石を用いた場合、２部品間の連結力の設定が容易であり、ホースの引き回し等が変わり第１ノズル２１、第２ノズル２２それぞれに加わる力が変わった場合においても、磁石を交換することで他の部品を共用したまま２部品間の連結力の最適化を計れる。
【００５６】
また、本実施の形態においては、お尻直墳洗浄流路２４はお尻乾燥空気流路２４も兼ね、お尻洗浄噴出口２７は乾燥用空気噴出口２７も兼ねる構成としたが、お尻乾燥空気流路２４および乾燥用空気噴出口２７それぞれを独立した専用の流路および噴出口として構成してもよい。
【００５７】
流路を共用している場合は、乾燥用空気を噴出する前に残水を除去する必要があるが、乾燥用空気用流路および乾燥用空気噴出口２７を独立に構成することで、残水除去の時間が必要なくなり、洗浄後よりスムーズに乾燥モードに移行することができて快適である。また、お尻旋回洗浄流路２５中に逆支弁を設けることで、乾燥モード時に圧搾空気がお尻旋回洗浄流路２５側へ逆流するのを防ぎ、圧搾空気圧が低下するのを防止できる。
【００５８】
（実施の形態２）
図１３〜１５は第２の実施の形態におけるノズル装置の駆動の状態を示す縦断面図であり、図１３（ａ）は収納状態の上面図、図１３（ｂ）は図１３（ａ）に示すＧＧ断面図を示し、図１４（ａ）は第２ノズル２２縮退時において第１ノズル２１の進退駆動範囲内において最大突出状態の上面図、図１４（ｂ）は図１４（ａ）に示すＨＨ断面図を示し、図１５（ａ）は進退連結手段Ａ４３によって連結され、第１ノズル２１と第２ノズル２２とが一体で駆動し、最大突出した状態の上面図、図１５（ｂ）は図１５（ａ）に示すＩＩ断面図を示す。
【００５９】
本実施の形態が、実施の形態１と異なるのは進退連結手段の構成であり、  他の構成については実施の形態１と同様であり、同作用をする構成については同一の符号を付し、詳細な説明は実施の形態１のものを援用する。
【００６０】
本実施の形態のノズル装置は、第１ノズル２１が第２ノズル２２に対して相対的に最も伸長した状態で第１ノズル２１と第２ノズル２２を連結する進退連結手段Ａ４３と、第２ノズル２２がノズルマウント１６に対して相対的に最も縮退した状態で第２ノズル２２とノズルマウント１６連結する進退連結手段Ｂ４４の２個の進退連結手段を備えている。
【００６１】
以上のように構成されたノズル装置について、以下ノズル駆動の動作を説明する。
まず、図１３（ａ）および（ｂ）にて示すノズル未使用時である収納状態においては、第１ノズル２１は第２ノズル２２の中に収納され、第２ノズル２２はノズルマウント１６のノズルガイド１９内に収納されている。このとき、第１ノズル２１は回動リンク３４により保持され、第２ノズル２２とノズルマウント１６とは進退連結手段Ｂ４４により連結されている。
【００６２】
制御手段によりノズルが突出する場合、まず駆動モータ３５が回転し、第１ノズル２１が前方に移動する。このとき第２ノズル２２はノズルマウント１６との進退連結手段Ｂ４４の連結が保たれているため、第１ノズル２１のみが進出する。第１ノズル２１が摺動可能範囲内における最先端において第２ノズル２２との進退連結手段Ａ４３と連結し、さらに第１ノズル２１を前方に移動させることで、進退連結手段Ｂ４４の連結が解除され、以降第１ノズル２１と第２ノズル２２は一体で駆動する。解除に要する荷重値よりもノズルを前後方向に移動させる駆動モータ３５の駆動トルクが大きいことが条件となる。
【００６３】
使用者の選択したモードに応じた、あらかじめ設定しておいた制御シーケンスに従い、原点状態からの駆動モータ３５の回転数が設定値に達すると停止する。図１６（ａ）はお尻洗浄標準位置を示し、図１６（ｂ）はビデ洗浄標準位置示し、図１６（ｃ）はお尻乾燥標準位置のノズル突出状態を示す。
【００６４】
広範囲に洗浄もしくは乾燥を行うためにノズルを前後に駆動する際は、第１ノズル２１と第２ノズル２２が進退連結手段Ａ４３により一体となって駆動する。
【００６５】
洗浄および乾燥の運転停止の操作をすると、駆動モータ３５は逆回転し、第１ノズル２１は第２ノズル２２と一体になって後方へ移動を開始する。第２ノズル２２がノズルマウント１６に対して相対的に最も縮退する位置で、第２ノズル２２とノズルマウント１６と
が進退連結手段Ｂ４４により連結する。以降、さらに第１ノズル２１を後方に移動させることで、進退連結手段Ａ４３の連結が解除され、第１ノズル２１が第２ノズル２２内に収納される。解除に要する荷重値よりもノズルを前後方向に移動させる駆動モータ３５の駆動トルクが大きいことが条件となる。
【００６６】
以上のように、本実施の形態においては、  第１ノズル２１と第２ノズル２２と相対位置が変わるのは第２ノズル２２がノズルマウント１６内に収納され製品本体内部にあるときに限られるため、第１ノズル２１と第２ノズル２２との嵌合部からティッシュ屑等のゴミをまき込みながら第１ノズル２１が第２ノズル２２内に収納されるのを予防することができる。また、前後摺動を繰り返す洗浄もしくは乾燥モードの際は第１ノズル２１と第２ノズル２２とが一体で動くので、両者の継合部での摺動音がせず、より快適なノズル装置が実現できる。
【産業上の利用可能性】
【００６７】
以上のように、本発明にかかるノズル装置は、長手方向に省スペースなノズル装置の構成が可能となるため、局部洗浄以外のあらゆる洗浄装置などの用途にも適用できる。
【図面の簡単な説明】
【００６８】
【図１】本発明の実施の形態１におけるノズル装置を使用した衛生洗浄装置の斜視図
【図２】同実施の形態１におけるノズル装置の収納状態を示す斜視図
【図３】同実施の形態１におけるノズル装置の第２ノズルの最突出状態を示す斜視図
【図４】同実施の形態１におけるノズル装置のノズルの最突出状態を示す斜視図
【図５】同実施の形態１における収納状態のノズルブロックの上面図
【図６】図５に示すＡＡ断面図
【図７】図５に示すＢＢ断面図
【図８】図６に示すＣＣ断面図
【図９】（ａ）は同実施の形態１におけるノズル装置の収納状態を示す上面図、（ｂ）は（ａ）に示すＤＤ断面図
【図１０】（ａ）は同実施の形態１におけるノズル装置の第２ノズルの最突出状態を示す上面図、（ｂ）は（ａ）に示すＥＥ断面図
【図１１】（ａ）同実施の形態１におけるノズル装置のノズルの最突出状態を示す上面図、（ｂ）は（ａ）に示すＦＦ断面図
【図１２】（ａ）は同実施の形態１におけるお尻洗浄標準位置におけるノズル装置の側面図、（ｂ）はビデ洗浄標準位置におけるノズル装置の側面図、（ｃ）はお尻乾燥最突出位置におけるノズル装置の側面図
【図１３】（ａ）は同実施の形態２におけるノズル装置の収納状態を示す上面図、（ｂ）は（ａ）に示すＧＧ断面図
【図１４】（ａ）は同実施の形態２におけるノズル装置の第１ノズルの最突出状態を示す上面図、（ｂ）は（ａ）に示すＨＨ断面図
【図１５】（ａ）同実施の形態２におけるノズル装置のノズルの最突出状態を示す上面図、（ｂ）は（ａ）に示すＩＩ断面図
【図１６】（ａ）は同実施の形態１におけるお尻洗浄標準位置におけるノズル装置の側面図、（ｂ）はビデ洗浄標準位置におけるノズル装置の側面図、（ｃ）はお尻乾燥最突出位置におけるノズル装置の側面図
【図１７】従来のノズル装置の斜視図
【符号の説明】
【００６９】
１１  便座
１３  ノズル装置
１６  ノズルマウント
２１  第１ノズル
２２  第２ノズル
２３  回動手段
２４  お尻直墳洗浄流路（流路）
２５  お尻旋回流路（流路）
２６  ビデ洗浄流路（流路）
２７  お尻洗浄噴出口（噴出口）
２８  ビデ洗浄噴出口（噴出口）
３０  前後駆動アクチュエータ（駆動手段）
４２  進退連結手段
４３  進退連結手段Ａ（進退連結手段）
４４  進退連結手段Ｂ（進退連結手段）
【図５】
2010127024.tif 000003
【図６】
2010127024.tif 000004
【図７】
2010127024.tif 000005
【図８】
2010127024.tif 000006
【図９】
2010127024.tif 000007
【図１０】
2010127024.tif 000008
【図１１】
2010127024.tif 000009
【図１３】
2010127024.tif 000010
【図１４】
2010127024.tif 000011
【図１５】
2010127024.tif 000012
【図１７】
2010127024.tif 000013
【図１】
2010127024.tif 000014
【図２】
2010127024.tif 000015
【図３】
2010127024.tif 000016
【図４】
2010127024.tif 000017
【図１２】
2010127024.tif 000018
【図１６】
2010127024.tif 000019